(57)【要約】【課題】接続アダプタを投射レンズにビスにより固定し、レンズ付属品に不時の外力等が加えられても、接続アダプタは脱落することなく、確実にレンズ付属品を保持することができるようにする。【解決手段】接続アダプタ１２は円筒形状で内壁には雌ねじ３１が加工されていて、投射レンズ１１に面して環状の平面部３２が加工されており、この平面部３２には放射状に複数個のビス貫通孔３３が設けられている。投射レンズ１１の前方正面側には内周側円筒面と外周側円筒面とから成る凹状の肉抜部３４が設けられ、この肉抜部３４内にリブ３５が放射状に所定の間隔で設けられている。  接続アダプタ１２を投射レンズ１１に取り付けるには、接続アダプタ１２を前方から組み付け、４本の固定ビス３６をビス貫通孔３３に通して接続アダプタ１２を肉抜部３４内に挿入し、内筒、外筒の両円筒面にセルフタップ式に固定する。【選択図】図４
2008040147.tif 000002
【特許請求の範囲】
【請求項１】
投射レンズの前面に設けたアダプタ取付部にアダプタの片面をビスにより固定し、前記アダプタの他面にレンズ付属品を着脱自在の結合手段により結合したことを特徴とするレンズアダプタ。
【請求項２】
前記アダプタ取付部はセルフタップねじ下穴構造を有し、前記アダプタを前記ビスによりセルフタップ式に固定したことを特徴とする請求項１に記載のレンズアダプタ。
【請求項３】
前記セルフタップねじの下穴は凹形状部を有し、該凹形状部は内周側円筒面と外周側円筒面を有し、前記両円筒の内面を前記ビスによる取付面としたことを特徴とする請求項２に記載のレンズアダプタ。
【請求項４】
前記結合手段はねじによる螺合としたことを特徴とする請求項１に記載のレンズアダプタ。
【請求項５】
前記結合手段はバヨネット式結合としたことを特徴とする請求項１に記載のレンズアダプタ。
【発明の詳細な説明】
【技術分野】
【０００１】
本発明は、投射レンズにコンバータレンズを付設するためのレンズアダプタに関するものである。
【背景技術】
【０００２】
例えば、特許文献１には従来技術のレンズアダプタが開示されている。即ち、図９に示すように、カメラ本体１は、伸縮自在沈胴式の撮影レンズ鏡筒２、レンズアダプタ３、コンバータレンズ４を有している。撮影レンズ鏡筒２の前面平面部２ａとレンズアダプタ３の結合には、図１０に示すように、剥離紙３ａを有する両面テープ３ｂにより接着されている。
【０００３】
レンズアダプタ３とコンバータレンズ４は、レンズアダプタ３の内径に設けた雌ねじとコンバータレンズ４の後方の外径部に設けた雄ねじをねじ締結することで結合される。
【０００４】
【特許文献１】特開２００５−１５６７６５号公報
【発明の開示】
【発明が解決しようとする課題】
【０００５】
しかし、このコンバータレンズ４に外力が加わると、レンズアダプタ３の撮影レンズ鏡筒２に対する接着が剥れて、外れてしまうことがある。
【０００６】
本発明の目的は、アダプタを投射レンズにビスにより固定し、レンズ付属品に不時の外力等が加えられても、アダプタは脱落することなく、確実にレンズ付属品を保持することができるレンズアダプタを提供することにある。
【課題を解決するための手段】
【０００７】
上記目的を達成するための本発明に係るレンズアダプタの技術的特徴は、投射レンズの前面に設けたアダプタ取付部にアダプタの片面をビスにより固定し、前記アダプタの他面にレンズ付属品を着脱自在の結合手段により結合したことにある。
【発明の効果】
【０００８】
本発明に係るレンズアダプタによれば、上述の課題を解消し、投射レンズとアダプタを確実に装着可能となる。
【０００９】
また、ビスで固定したアダプタにレンズ付属品を螺合又はバヨネット結合により取り付ける構成とすると、多様なレンズ付属品の取り付けと交換が短時間で行える。
【発明を実施するための最良の形態】
【００１０】
本発明を図１〜図８に図示の実施例に基づいて詳細に説明する。
図１は例えば液晶プロジェクタに使用される投射レンズに用いたレンズアダプタの側面図を示し、投射レンズ１１に接続アダプタ１２を介してコンバータレンズユニット１３が取り付けられている。コンバータレンズユニット１３は固定鏡筒１４、光学レンズ１５により構成され、固定鏡筒１４の後方には、所定の寸法でねじが精度良く加工されている。
【００１１】
投射レンズ１１は１群鏡筒１７、複数群の変倍群鏡筒固定筒１８から成る。１群鏡筒１７は内径側にレンズ保持形状が設けられ、その外径側前方には、操作者が投射画像のフォーカス調整する際に、回動操作がし易いように、ローレットが加工されている。また、１群鏡筒１７の外径側後方には、固定筒１８とねじ結合するための雄ヘリコイドねじ部１９が所定のピッチで精度良く加工されている。
【００１２】
図２に示すように、投射レンズ１１は液晶プロジェクタ２１に取り付けられ、更に投射レンズ１１のスクリーンＳ側にコンバータレンズユニット１３を装着することで、スクリーンＳに対する投射画角を広角側又は望遠側に変倍するようになっている。
【００１３】
図３はコンバータレンズユニット１３を装着していない状態の液晶プロジェクタ２１の斜視図であり、液晶プロジェクタ２１にはフォーカス調整用リング２２、ズームカム筒２３、ズーム調整リング２４が設けられている。液晶プロジェクタ２１の内部には、図示しない電気回路基板、照明ランプ、液晶表示パネル、色分解プリズム、冷却ファン等が所定の位置に効率良く配設されている。
【００１４】
なお、この液晶プロジェクタ２１では、フォーカス、ズーム調整は手動方式を採用しているが、ＤＣモータ等の動力源を採用することで、電動駆動によるフォーカス、ズーム調整機構を設けてもよい。
【００１５】
操作者はフォーカス調整用リング２２を回動することで、ピント調整をすることができ、投射倍率を調整するには、ズームカム筒２３に取り付けられたズーム調整リング２４を回動して、複数群の変倍光学群を移動する。
【００１６】
前述したように、接続アダプタ１２はコンバータレンズユニット１３の固定鏡筒１４と投射レンズ１１の１群鏡筒１７との間にあって、これらを接続する接続部材である。図４に示すように、接続アダプタ１２は円筒形状で前方の内壁には雌ねじ３１が加工されていて、投射レンズ１１に面して環状の平面部３２が加工されており、この平面部３２には放射状に複数個のビス貫通孔３３が設けられている。
【００１７】
また、投射レンズ１１の前方正面側には成型加工時のヒケ防止のために内周側円筒面と外周側円筒面とから成る凹状の肉抜部３４が設けられ、この肉抜部３４の剛性の低下を防止するリブ３５が放射状に所定の間隔で設けられている。
【００１８】
接続アダプタ１２を投射レンズ１１に取り付けるには、肉抜部３４とリブ３５を隠すための両面テープ又は接着材等で固定されたプレートリングを取り外し、接続アダプタ１２を前方から組み付ける。次に、例えば４本の固定ビス３６をビス貫通孔３３に通してからねじ込む。この際に、固定ビス３６はリブ３５を避けて肉抜部３４内に挿入し、内周側円筒面、外周側円筒面の両内面にセルフタップ式に固定する。
【００１９】
続いて、一体的に固定された投射レンズ１１と接続アダプタ１２に、図５に示すようにコンバータレンズユニット１３を前方から組み付ける。この組み付けには、接続アダプタ１２の内径側に設けた雌ねじ３１とコンバータレンズユニット１３の後方外径に設けた雄ねじ３７を螺合することで、確実に取り付けることができる。
【００２０】
なお、本実施例の投射レンズ１１には、円周状の肉抜部３４を形成したが、この形状に限定するものではなく、リブ３５も図４に示す形状及び個数に限定するものではなく、個数を増減させてもよい。また、投射レンズ１１には図６に示すように複数個の丸穴部３８を設けた肉抜き形状を設けてもよく、更には図７に示すように複数個の円弧状の肉抜部３９を設けることもできる。
【００２１】
接続アダプタ１２とコンバータレンズユニット１３の雌ねじ３１、雄ねじ３７による螺合の代りに、図８に示す一眼レフレックスカメラの交換レンズマウントに用いられている公知のバヨネット構造４１を適用することも可能である。
【００２２】
このバヨネット構造４１においては、接続アダプタ１２の前方に雌バヨネット構造４２を有している。固定筒４３は光学レンズを所定の位置に固定する保持部材であり、その後方側に雌バヨネット構造４２と結合する雄バヨネット構造４４を設ければよい。
【００２３】
なお図５に示すように、接続アダプタ１２と液晶プロジェクタ２１間を紐５１によって結んでいる。この紐５１は、コンバータレンズユニット１３が想定外の外力、例えば地震による振動等で液晶プロジェクタ２１から落下することがないように、脱落防止を目的として用いられている。
【００２４】
液晶プロジェクタ２１は天井に設置して映像を観賞したり、教室の天井に設置する場合が多い。このような場合に、紐５１を液晶プロジェクタ２１に連結することで、天井に設置した液晶プロジェクタ２１に不用意な外力が加わっても、接続アダプタ１２、つまりコンバータレンズユニット１３が落下することはない。
【００２５】
また、高所に設置した液晶プロジェクタ２１に対して、コンバータレンズユニット１３を取り付ける場合に、液晶プロジェクタ２１、或いは天吊り金具等の固定部と接続アダプタ１２を紐５１で連結することは有用である。投射レンズ１１に接続アダプタをビス止めして組み付け後に、接続アダプタにコンバータレンズユニット１３を組み付けると、取付作業時にコンバータレンズユニット１３の落下が防止される。
【００２６】
本実施例においては、広角側のコンバータレンズユニット１３を説明しているが、これに限定するものではなく、望遠側に変倍するテレコンバータレンズユニット、光学的コンバージョンレンズ、アタッチメントレンズなどであってもよい。また、投影画角を変倍する光学レンズに限定するものではなく、光量調整用の光学フィルタ、遮光用マスク等を採用することもできる。
【００２７】
固定鏡筒１４は光学レンズを所定の位置に固定する保持部材であり、例えば黒色のモールド材を成型加工により加工された部品で、１枚又は複数枚の光学レンズを所定の位置に配設できるように精度良く加工されている。また、本実施例では固定鏡筒１４の材料はモールド材を用いているが、これも限定するものではなく、金属の材料を成型又は切削加工で製造し、光学レンズ保持面側は黒色の塗装を行い、外観部は任意の色を塗装してもよい。
【００２８】
例えば、少量ロット生産数のコンバータレンズユニット１３であれば、成型加工用の金型等を設けることなく、切削加工で黒色のモールド材を加工してもよい。また、材料色も黒色に限定するものではなく、自然色のモールド材を成型又は切削加工を行い、光学レンズ保持面側は黒色の塗装を行い、外観部は任意の色を塗装してもよい。また、外観部の表面処理についは塗装、未塗装でもよく特に限定するものではない。
【００２９】
本実施例では、接続アダプタ１２の材料にモールド材を選定しているが、これも限定するものではない。例えば、接続アダプタ１２の金属の材料を成型、又は金属の棒状の材料を切削加工で製造し、内壁側は黒色の塗装又は黒色もメッキ処理を行っている。接続アダプタ１２の外観部は任意の色を塗装してもよい。
【図面の簡単な説明】
【００３０】
【図１】投射レンズに接続アダプタ、コンバータレンズユニットを装着した状態の側面図である。
【図２】液晶プロジェクタとスクリーンの側面図である。
【図３】液晶プロジェクタの斜視図である。
【図４】投射レンズに接続アダプタを取り付ける場合の斜視図である。
【図５】接続アダプタにコンバータレンズユニットを取り付ける場合の斜視図である。
【図６】複数の丸穴による肉抜き形状を有する投射レンズの正面図である。
【図７】円弧状の肉抜き形状を有する投射レンズの正面図である。
【図８】接続アダプタとコンバータレンズユニットの結合にバヨネット構造を採用した状態の斜視図である。
【図９】従来技術のカメラにアダプタ及びコンバータレンズを取り付ける場合の斜視図である。
【図１０】従来技術のアダプタの斜視図である。
【符号の説明】
【００３１】
１１  投射レンズ
１２  接続アダプタ
１３  コンバータレンズユニット
１４  固定鏡筒
２１  液晶プロジェクタ
３１  雌ねじ
３３  ビス貫通孔
３４、３９  肉抜部
３６  固定ビス
３７  雄ねじ
３８  丸穴部
４１  バヨネット構造
５１  紐
【図１】
2008040147.tif 000003
【図２】
2008040147.tif 000004
【図３】
2008040147.tif 000005
【図４】
2008040147.tif 000006
【図５】
2008040147.tif 000007
【図６】
2008040147.tif 000008
【図７】
2008040147.tif 000009
【図８】
2008040147.tif 000010
【図９】
2008040147.tif 000011
【図１０】
2008040147.tif 000012